(57)【要約】【課題】  ユーザーが任意の機器を住宅内の任意の場所で利用する場合であっても、機器の種別及び設置位置を容易に認識可能とする。【解決手段】  機器の消費電力パターンに基づいて機器の機器種別を判断するとともに、消費電力パターンが検出された回路の配線位置に基づいて機器の機器設置位置を判断する機器検出装置と、機器検出装置にて判断された機器種別と、機器設置位置とが対応付けられて表示されるように表示装置を制御する表示コントローラとを備える。【選択図】  図１
2015226451.tif 000002
【特許請求の範囲】
【請求項１】
機器の消費電力パターンに基づいて上記機器の機器種別を判断するとともに、上記消費電力パターンが検出された回路の配線位置に基づいて上記機器の機器設置位置を判断する機器検出装置と、
上記機器検出装置にて判断された上記機器種別と、上記機器設置位置とが対応付けられて表示されるように表示装置を制御する表示コントローラと
を備えたことを特徴とするコントローラ。
【請求項２】
上記表示コントローラは、
上記機器の機器画像に対応した機器画像情報と、上記機器種別とが対応付けられて格納された機器画像情報データベースを参照して、上記機器種別に対応する上記機器画像が表示されるように上記表示装置を制御することを特徴とする請求項１に記載のコントローラ。
【請求項３】
上記表示コントローラは、
上記機器が設置された建物の間取り画像における位置と、上記機器設置位置とが対応付けられて格納された間取り画像情報データベースを参照して、上記機器設置位置に対応する上記間取り画像における位置に上記機器種別が表示されるように上記表示装置を制御することを特徴とする請求項１に記載のコントローラ。
【請求項４】
上記機器検出装置にて判断された上記機器種別と、上記機器設置位置とを対応付けて記憶するメモリを備え、
上記表示コントローラは、
上記メモリを参照して、上記機器の過去の使用状況が表示されるように上記表示装置を制御することを特徴とする請求項１に記載のコントローラ。
【請求項５】
上記使用状況として、上記機器の設置位置の変遷が表示されるように上記表示装置を制御することを特徴とする請求項４に記載のコントローラ。
【請求項６】
上記機器検出装置は、
上記機器の消費電力パターンに基づいて上記機器の機器状態を判断し、
上記表示コントローラは、
上記機器の機器状態が識別可能な状態で、上記機器種別と、上記機器設置位置とが対応付けられて表示されるように表示装置を制御することを特徴とする請求項１に記載のコントローラ。
【請求項７】
機器の消費電力パターンに基づいて判断された上記機器の機器種別と、上記消費電力パターンが検出された回路の配線位置に基づいて判断された上記機器の機器設置位置とを受け付ける機器情報受付部と、
上記機器情報受付部で受け付けられた上記機器種別と、上記機器設置位置とが対応付けられて表示されるように表示装置を制御する表示制御部と
を備えたことを特徴とする表示コントローラ。
【発明の詳細な説明】
【技術分野】
【０００１】
本発明は、住宅またはオフィスなどに配置される機器に接続されるコントローラ及び表示コントローラに関するものである。
【背景技術】
【０００２】
従来、住宅などに配置される機器に接続されて住宅などに設置され、接続された機器の状態を表示するコントローラが提案されている。たとえば、コントローラが、エアコンや、テレビや、冷蔵庫や、洗濯機や、電子レンジや、太陽電池など電気機器の状態を表示したり、それらの電気機器を制御したりする技術が提案されている。
【０００３】
例えば、特許文献１には、ユーザーに機器の使用状態や動作状態などを容易に認識させることができるコントローラ、および情報処理方法が開示されている。特許文献１によると、コントローラは、コントローラが備えるメモリが、あらかじめ複数の部屋を表わす間取り図と、間取り図における複数の機器の位置とを記憶し、通信インターフェースによりコントローラと接続されている機器から受信された機器の状態の各々を、プロセッサが、間取り図及び機器設置位置と対応付けてディスプレイに表示することにより、ユーザーは複数機器の状態を認識可能となる。
【先行技術文献】
【特許文献】
【０００４】
【特許文献１】特開２０１２−１３４９５７号公報
【発明の概要】
【発明が解決しようとする課題】
【０００５】
しかしながら、従来の技術では、状態表示の対象となる機器が、あらかじめ通信インターフェースでコントローラと接続されている必要があることから、通信インターフェースを備えない機器の使用状態や動作状態は、コントローラ上に表示を行うことができないという問題があった。また、コントローラと接続されている機器の設置位置を変更した場合は、メモリに記憶されている間取り図における機器の位置情報を、ユーザーが自ら更新しなければならないという問題があった。
【０００６】
本発明は、例えば、かかる問題を解決するためになされたものであり、その目的は、ユーザーが任意の機器を住宅内の任意の場所で利用する場合であっても、機器の種別及び設置位置を容易に認識可能なコントローラ及び表示コントローラを提供することにある。
【課題を解決するための手段】
【０００７】
この発明にかかるコントローラは、機器の消費電力パターンに基づいて機器の機器種別を判断するとともに、消費電力パターンが検出された回路の配線位置に基づいて機器の機器設置位置を判断する機器検出装置と、機器検出装置にて判断された機器種別と、機器設置位置とが対応付けられて表示されるように表示装置を制御する表示コントローラとを備えたものである。
【０００８】
この発明にかかる表示コントローラは、機器の消費電力パターンに基づいて判断された上記機器の機器種別と、消費電力パターンが検出された回路の配線位置に基づいて判断された機器の機器設置位置とを受け付ける機器情報受付部と、機器情報受付部で受け付けられた機器種別と、機器設置位置とが対応付けられて表示されるように表示装置を制御する表示制御部とを備えたものである。
【発明の効果】
【０００９】
この発明のコントローラによれば、機器の消費電力パターンに基づいて機器の機器種別を判断するとともに、消費電力パターンが検出された回路の配線位置に基づいて機器の機器設置位置を判断する機器検出装置と、機器検出装置にて判断された機器種別と、機器設置位置とが対応付けられて表示されるように表示装置を制御する表示コントローラとを備えたことにより、ユーザーが任意の機器を住宅内の任意の場所で利用する場合であっても、機器の種別及び設置位置を容易に認識可能となる。
【００１０】
この発明の表示コントローラによれば、機器の消費電力パターンに基づいて判断された上記機器の機器種別と、消費電力パターンが検出された回路の配線位置に基づいて判断された機器の機器設置位置とを受け付ける機器情報受付部と、機器情報受付部で受け付けられた機器種別と、機器設置位置とが対応付けられて表示されるように表示装置を制御する表示制御部とを備えたことにより、ユーザーが任意の機器を住宅内の任意の場所で利用する場合であっても、機器の種別及び設置位置を容易に認識可能となる。
【図面の簡単な説明】
【００１１】
【図１】実施の形態１におけるコントローラ１Ａ及び表示コントローラ７０の構成の一例を示す構成図である。
【図２】実施の形態１におけるセンサと機器との接続状況の一例を示す説明図である。
【図３】機器検出装置４０の内部詳細構成の一例を示す構成図である。
【図４】表示コントローラ７０の内部詳細構成の一例を示す構成図である。
【図５】実施の形態１におけるコントローラ１Ａ及び表示コントローラ７０の処理動作の流れの一例を示すフローチャートである。
【図６】機器情報データベース２０の一例を示す説明図である。
【図７】間取り情報データベース３０の一例を示す説明図である。
【図８】機器画像情報データベース５０の一例を示す説明図である。
【図９】間取り画像情報データベース６０の一例を示す説明図である。
【図１０】表示装置８０で表示される表示画像の一例を示す説明図である。
【図１１】表示装置８０で表示される表示画像の一例を示す説明図である。
【図１２】実施の形態２におけるセンサと機器との接続状況の一例を示す説明図である。
【図１３】間取り情報データベース３０の一例を示す説明図である。
【図１４】間取り画像情報データベース６０の一例を示す説明図である。
【図１５】遠隔地のユーザーに利用状況を表示する場合のコントローラの構成の一例を示す概念図である。
【図１６】実施の形態３におけるコントローラ１Ｃ及び表示コントローラ７０の構成の一例を示す構成図である。
【図１７】表示装置８０で表示される表示画像の一例を示す説明図である。
【図１８】表示装置８０で表示される表示画像の一例を示す説明図である。
【図１９】実施の形態４におけるコントローラ１Ｄ及び表示コントローラ７０の構成の一例を示す構成図である。
【図２０】表示装置８０で表示される表示画像の一例を示す説明図である。
【図２１】表示装置８０で表示される表示画像の一例を示す説明図である。
【発明を実施するための形態】
【００１２】
以下、本発明の実施の形態を説明する。なお、以下の実施の形態は、本発明の一例であり、本発明は以下の実施の形態に限定されるものではない。
【００１３】
実施の形態１．
図１は、この発明の一実施の形態を示す実施の形態１におけるコントローラ１Ａ及び表示コントローラ７０の構成の一例を示す構成図である。
コントローラ１Ａは、例えば住宅やオフィスなどに設置される。
【００１４】
図１において、センサＡ１０１〜センサＥ１０５は、分電盤にて複数に分岐された回路にそれぞれ設置され、設置された回路に接続された機器の消費電力を測定し、機器が所定時間においてどのように電力を消費したかを示す消費電力パターンを検出する。
【００１５】
図２は、実施の形態１におけるセンサと機器との接続状況の一例を示す説明図である。
図２において、図１と同一又は相当部分に同一符号を付し、説明を省略する。
分電盤１００において送電された電気は複数の回路に分けられる。図２に示した例では、５つの回路に分けられ、それぞれの回路にセンサＡ１０１〜センサＥ１０５が設置されている。また、複数に分けられた回路には、複数の機器（機器Ａ（掃除機）９０１、機器Ｂ（ドライヤー）９０２、機器Ｃ（空気清浄機）９０３、機器Ｄ（パーソナルコンピュータ）９０４、機器Ｅ（電気ポット）９０５）が接続されている。本実施の形態では、センサＡ１０１〜センサＥ１０５は、それぞれ掃除機９０１、ドライヤー９０２、空気清浄機９０３、パーソナルコンピュ９０４、電気ポット９０５の消費電力を測定し、それぞれの消費電力パターンを検出する。
【００１６】
機器情報データベース２０は、消費電力パターンと、機器情報とが対応付けられて格納されている。なお、本実施の形態では、機器情報として、機器の種別を示す機器種別と、機器の状態を示す機器状態とが格納されている。
【００１７】
間取り情報データベース３０は、センサと、センサが設置されている回路が配置（配線）されている配線位置とが対応付けられて格納されている。なお、本実施の形態では、配線位置として、部屋Ａ、部屋Ｂ等の部屋の名称を示す間取り情報が格納されている。
【００１８】
機器検出装置４０は、機器の消費電力パターンに基づいて機器の種別を示す機器種別を判断するとともに、消費電力パターンが検出された回路の配線位置に基づいて機器の設置位置を示す機器設置位置を判断する。なお、本実施の形態では、機器検出装置４０は、機器情報データベース２０を参照して、センサで検出された消費電力パターンに基づいて機器種別及び機器状況を判断する。また、間取り情報データベース３０を参照して、消費電力パターンが検出されたセンサが設置されている回路が配置されている間取り情報を取得し、その間取り情報を機器設置位置として判断する。
【００１９】
機器画像情報データベース５０は、機器の機器画像に対応した機器画像情報と、機器種別とが対応付けられて格納されている。なお、本実施の形態では、機器画像情報として表示装置に画像を表示するための画像データ、例えば機器画像のビットマップデータが格納されている。また、機器種別毎に複数の機器状態に対応した機器画像情報を格納している。
【００２０】
間取り画像情報データベース６０は、機器が設置された建物の間取り画像における位置と、機器設置位置とが対応付けられて格納されている。なお、本実施の形態では、建物の間取り画像を表示するための画像データ、例えば間取り画像のビットマップデータが格納されており、その間取り画像の画像データにおける位置と機器設置位置とが対応付けられて格納されている。また、機器設置位置として、部屋Ａ、部屋Ｂ等の部屋の名称を示す間取り情報が対応付けられている。
【００２１】
表示コントローラ７０は、機器検出装置４０にて判断された機器種別と、機器設置位置とが対応付けられて表示されるように表示装置８０を制御する。なお、本実施の形態では、機器画像情報データベース５０を参照して、機器種別に対応する機器画像が表示されるように表示装置８０を制御する。また、間取り画像情報データベース６０を参照して、機器設置位置（部屋の名称を示す間取り情報）に対応する間取り画像における位置に、機器種別及び機器状況が表示されるように表示装置８０を制御する。
【００２２】
表示装置８０は、表示コントローラ７０の制御に応じて、機器検出装置４０にて判断された機器種別と、機器設置位置とが対応付けられた画像を表示する。本実施の形態では、表示コントローラ７０で機器画像情報データベース５０及び間取り画像情報データベース６０を参照して生成された表示画像を表示する。表示装置８０は、例えば、住宅内に設置されるＨＥＭＳコントローラ（Home Energy Management Systemコントローラ）の画面（表示パネル装置）でもよいし、スマートフォン、タブレット端末の画面（表示パネル装置）でもよい。
【００２３】
図３は、機器検出装置４０の内部詳細構成の一例を示す構成図である。
センサ検出情報受付部４１は、センサＡ１０１〜センサＥ１０５がそれぞれ検出した機器の消費電力パターンを、検出したセンサを示すセンサ情報とともに受け付ける。照合部４２は、機器情報データベース２０を参照して、センサ検出情報受付部４１が受け付けた消費電力パターンに基づいて機器種別を判断するとともに、間取り情報データベース３０を参照して、センサ検出情報受付部４１が受け付けたセンサ情報に対応するセンサが設置されている間取り情報を取得し、機器種別及び間取り情報を表示コントローラ７０に送信する。
【００２４】
図４は、表示コントローラ７０の内部詳細構成の一例を示す構成図である。
機器情報受付部７１は、機器検出装置４０の照合部４２が送信した機器種別及び間取り情報を受け付ける。表示制御部７２は、機器画像情報データベース５０を参照して、機器情報受付部７１が受け付けた機器種別に対応する機器画像情報を取得するとともに、間取り画像情報データベース６０を参照して、機器情報受付部７１が受け付けた間取り情報に対応する間取り画像における位置に、機器画像情報に対応する機器画像が配置された表示画像を生成し、表示装置８０に送信する。
【００２５】
なお、機器情報データベース２０、間取り情報データベース３０、機器画像情報データベース５０、及び、間取り画像情報データベース６０は、例えばＲＯＭ（Read Only Memory）、磁気ディスク（ハードディスクやリムーバブルディスク等）、不揮発性半導体メモリ等の記憶手段に予め保持しておいたものであってもよいし、例えば、インターネット、ＬＡＮ、赤外線通信、携帯電話のパケット通信等の有線・無線通信手段を用いてサーバコンピュータ上の記憶手段からダウンロードしたり、例えば、ＣＤ−ＲＯＭ（Compact Disc Read Only Memory）、ＣＤ−Ｒ（Compact Disc Recordable）、ＤＶＤ（Digital Versatile Disk）、磁気ディスク(ハードディスクやリムーバブルディスク等)、不揮発性の半導体メモリ、磁気テープ等の記憶媒体や、バーコード等が印刷されたカード等の印刷媒体より配布、提供、アップデートされるものであってもよい。
【００２６】
また、機器検出装置４０、及び、表示コントローラ７０について、それぞれの上記の全ての機能あるいは一部の機能は、パーソナルコンピュータ等のソフトウエアとしてプログラム実行したり、ＣＰＵ（Central Processing Unit）等の組み込みソフトウエアやファームウエアとしてプログラム実行することで達成できるものである。また、同様の動作をする回路、例えばＬＳＩ（Large Scale IC）、ＦＰＧＡ（Field Programmable Gate Array）、論理IC等の集積回路で実現しても良いし、あるいはディスクリート素子を組み合わせて実現してもよい。
【００２７】
また、上記のソフトウエア等は、例えばＲＯＭ（Read Only Memory）、磁気ディスク（ハードディスクやリムーバブルディスク等）、不揮発性半導体メモリ等の記憶手段に予め保持しておいたものであってもよいし、例えば、インターネット、ＬＡＮ、赤外線通信、携帯電話のパケット通信等の有線・無線通信手段を用いてサーバコンピュータ上の記憶手段からダウンロードしたり、例えば、ＣＤ−ＲＯＭ（Compact Disc Read Only Memory）、ＣＤ−Ｒ（Compact Disc Recordable）、ＤＶＤ（Digital Versatile Disk）、磁気ディスク(ハードディスクやリムーバブルディスク等)、不揮発性の半導体メモリ、磁気テープ等の記憶媒体や、バーコード等が印刷されたカード等の印刷媒体より配布、提供、アップデートされるものであってもよい。この場合、記憶媒体等から読み出された上記ソフトウエアのプログラムコードが、上記機能を実現することとなり、これら記憶媒体等はこの構成を成すものとなる。
【００２８】
次に、動作について説明する。
図５は、実施の形態１におけるコントローラ１Ａ及び表示コントローラ７０の処理動作の流れの一例を示すフローチャートである。
【００２９】
センサＡ１０１〜センサＥ１０５は、それぞれ設置された回路に接続された機器の消費電力を測定し、機器が所定時間においてどのように電力を消費したかを示す消費電力パターンを検出する。例えば、所定時間として５分間の消費電力を測定し、時間経過に対する消費電力の変化を消費電力パターンとして検出する。そして検出が完了すると、その検出結果を、検出したセンサを示すセンサ情報とともに機器検出装置４０に送信する。
【００３０】
センサＡ１０１〜センサＥ１０５のいずれかから送信された消費電力パターンを機器検出装置４０のセンサ検出情報受付部４１が受け付ける（受信する）と（ステップＳ１でＹＥＳ）、機器検出装置の処理がスタートする。
【００３１】
機器検出装置４０の照合部４２は、機器情報データベース２０を参照して、センサ検出情報受付部４１が受け付けた消費電力パターンに基づいて機器情報を取得し、機器種別及び機器状況を判断する（ステップＳ２）。
【００３２】
図６は、機器情報データベース２０の一例を示す説明図である。
図６に示した機器情報データベース２０は、消費電力パターンとして、複数の測定パターンが格納され、それぞれに対応する機器の機器種別（例えば、機器Ａ、機器Ｂ）とその機器の状態を示す機器状態（例えば、使用、不使用、故障）が機器情報として格納されている。
【００３３】
照合部４２は、センサ検出情報受付部４１が受け付けた消費電力パターンと、機器情報データベース２０に格納されている測定パターンとを照合し、類似するパターンの測定パターンを抽出する。そして、抽出された測定パターンに対応する機器情報を取得し、機器種別を判断する。また、同時に機器状態を判断する。
【００３４】
また、照合部４２は、間取り情報データベース３０を参照して、センサ検出情報受付部４１が受け付けたセンサ情報に対応するセンサが設置されている間取り情報を取得し、その間取り情報を機器設置位置として判断する（ステップＳ３）。
【００３５】
図７は、間取り情報データベース３０の一例を示す説明図である。
図７に示した間取り情報データベース３０は、複数のセンサのセンサ情報（例えば、センサＡ、センサＢ等）が格納され、それぞれのセンサが設置されている回路が配置（配線）されている配線位置として、部屋Ａ、部屋Ｂ等の部屋の名称を示す間取り情報が格納されている。
【００３６】
照合部４２は、センサ検出情報受付部４１が受け付けたセンサ情報と、間取り情報データベース３０に格納されているセンサ情報とを照合し、一致するセンサ情報を抽出する。そして、抽出されたセンサ情報に対応する間取り情報を抽出し、その間取り情報を機器設置位置として判断する。
【００３７】
そして、照合部４２は、判断した機器種別、機器状況、及び、機器設置位置を表示コントローラ７０に送信する（ステップＳ４）。
【００３８】
表示コントローラ７０の機器情報受付部７１は、機器検出装置４０の照合部４２から送信された機器種別、機器状況、及び、機器設置位置を受け付ける。
【００３９】
表示コントローラ７０の表示制御部７２は、機器画像情報データベース５０を参照して、機器情報受付部７１が受け付けた機器種別及び機器状況に対応する機器画像情報を取得する（ステップＳ５）。
【００４０】
図８は、機器画像情報データベース５０の一例を示す説明図である。
図８に示した機器画像情報データベース５０には、機器種別に対応する形状の機器画像が格納されている。このようにすることにより、機器の種別を容易に視認可能となる。また、機器状況に対応した態様の機器画像が格納されている。例えば、機器状況として使用していることを示す機器画像は、「zZZ」等のスリープマークを伴う画像となっている。また、例えば、不使用であることを示す機器画像より濃い色の画像となっている（図示せず）。このようにすることにより、機器の使用状況を容易に視認可能となる。また、故障していることを示す機器画像は、エクスクラメーションマークを重畳した画像となっている。このようにすることにより、機器の動作状態を容易に視認可能となる。
【００４１】
また、表示制御部７２は、間取り画像情報データベース６０を参照して、間取り画像を表示するための画像データ（間取り画像情報）を取得し（ステップＳ６）、機器情報受付部７１が受け付けた間取り情報に対応する間取り画像における位置に、機器画像情報に対応する機器画像が配置された表示画像を生成し（ステップＳ７）、表示装置８０に送信する（ステップＳ８）。
【００４２】
図９は、間取り画像情報データベース６０の一例を示す説明図である。
図９に示した画像情報データベース６０には、間取り画像を表示するための画像データ（間取り画像情報）として、各部屋の配置を含む間取り図の画像データが格納されている。また、間取り図（間取り画像）上に機器設置位置として間取り情報（例えば、部屋Ａ、部屋Ｂ等）が配されたことにより、機器が設置された建物の間取り画像における位置と、機器設置位置とが対応付けられて格納されている。
【００４３】
図１０、図１１は、表示装置８０で表示される表示画像の一例を示す説明図である。
回路に機器が接続され、その機器の消費電力パターンをセンサが検知した場合は、表示制御部７２は、図１０に示すように、画像データ（間取り画像情報）に基づく間取り図（間取り画像）上の間取り情報（機器設置位置）に対応する位置に、機器画像情報に対応する機器画像を配置した表示画像を生成し、表示装置８０が生成された表示画像を表示する。
なお、回路に機器が接続されていない場合は、図１１に示すように、機器画像は表示されず、画像データ（間取り画像情報）に基づく間取り図が表示される。
【００４４】
以上のように、本実施の形態によれば、機器の消費電力パターンに基づいて機器の機器種別を判断するとともに、消費電力パターンが検出された回路の配線位置に基づいて機器の機器設置位置を判断する機器検出装置４０と、機器検出装置４０にて判断された機器種別と、機器設置位置とが対応付けられて表示されるように表示装置８０を制御する表示コントローラ７０とを備えたことにより、機器の消費電力パターンに基づいて判断された機器の機器種別と、機器設置位置とが対応付けられて表示されるので、例えば、通信ユニット等を設ける必要なく、機器の種別及び設置位置が容易に認識可能となる。
【００４５】
また、機器の機器画像に対応した機器画像情報と、機器種別とが対応付けられて格納された機器画像情報データベース５０を参照して、機器種別に対応する機器画像が表示されるように表示装置８０を制御することにより、機器画像が表示されるので、機器種別を判別する上で視認容易性が向上する。
【００４６】
また、機器が設置された建物の間取り画像における位置と、機器設置位置とが対応付けられて格納された間取り画像情報データベース６０を参照して、機器設置位置に対応する間取り画像における位置に機器種別が表示されるように表示装置８０を制御することにより、機器設置位置に対応する位置に機器種別が表示されるので、機器設置位置を判別する上で視認容易性が向上する。
【００４７】
また、機器の消費電力パターンに基づいて機器の機器状態を判断し、機器の機器状態が識別可能な状態で、機器種別と、機器設置位置とが対応付けられて表示されるように表示装置８０を制御することにより、機器の消費電力パターンに基づいて判断された機器の機器状況が表示されるので、機器の動作状態が容易に視認可能となる。
【００４８】
また、機器検出装置４０がセンサＡ１０１〜センサＥ１０５の各々からの消費電力パターンを検出し、その消費電力パターンに基づいて、機器種別及び機器状況を含む機器情報と機器設置位置に対応する間取り情報を特定するため、ユーザーが機器を利用するだけで、その機器情報と間取り情報を表示装置に反映させることができる。
例えば、宅内で一切の機器を利用していない（回路に接続していない）場合には、図１１に示す表示がなされ、各部屋で機器を利用する（回路に接続する）と、図１０に示す表示がなされる。なお、機器を別の部屋で利用した場合でも、その部屋に対応する位置に機器画像が表示される。
【００４９】
なお、本実施の形態においては、センサＡ１０１〜センサＥ１０５は、消費電力パターンを、検出したセンサを示すセンサ情報とともに機器検出装置４０に送信する場合について説明したが、例えば、各センサと機器検出装置４０との結線状況等から、機器検出装置４０がいずれのセンサから送信された消費電力パターンであるかを判別可能である場合は、センサ情報を機器検出装置４０に送信する必要はない。
【００５０】
また、本実施の形態においては、機器画像情報データベース５０に機器画像情報として表示装置に機器画像を表示するための画像データが格納され、間取り画像情報データベース６０に建物の間取り画像を表示するための画像データが格納され、表示コントローラ７０の表示制御部７２で表示画像を生成する場合について説明したが、例えば、表示装置８０がこれらの画像データを取得可能な場合は、表示装置８０が表示画像を生成するように構成してもよい。この場合、例えば、機器画像情報は、機器画像に対応する識別子等、間取り画像情報は、間取り画像に対応する識別子等とし、これらの識別子を表示コントローラ７０の表示制御部７２から表示装置８０に送付するように構成する。
【００５１】
実施の形態２．
上述の実施の形態１では、センサＡ１０１〜センサＥ１０５が、分電盤の分岐回路に対応して設置され、機器検出装置４０はその分電盤の分岐回路に対応して機器種別及び機器設置位置を判断する場合について説明した。本実施の形態では、センサＡ１０１〜センサＥ１０５が、コンセントに対応して設置される場合の実施の形態について説明する。
【００５２】
本実施の形態におけるコントローラ１Ｂの構成は、例えば、図１で示した構成にて実現できるため、説明を省略する。
図１２は、実施の形態２におけるセンサと機器との接続状況の一例を示す説明図である。
図１２において、図２と同一又は相当部分に同一符号を付し、説明を省略する。
コンセントＡ９１１〜コンセントＥ９１５は、分電盤１００において分岐された回路がさらに分岐された回路の末端に設置され、差し込まれた機器に電源を供給する。プラグＡ９２１〜プラグＥ９２５は、それぞれ機器Ａ９０１〜機器Ｅ９０５に電源を供給するために、コンセントＡ９１１〜コンセントＥ９１５に差し込まれる。
【００５３】
コンセントＡ９１１〜コンセントＥ９１５は、それぞれセンサＡ１０１〜センサＥ１０５が設置されており、センサＡ１０１〜センサＥ１０５は、それぞれコンセントＡ９１１〜コンセントＥ９１５における消費電力を測定し、機器が所定時間においてどのように電力を消費したかを示す消費電力パターンを検出する。
なお、コンセントＡ９１１〜コンセントＥ９１５とセンサＡ１０１〜センサＥ１０５の各々は、コンセントとセンサが一体型のものでもよいし、コンセントにセンサを取り付けるものでもよい。
【００５４】
次に、動作について説明する。
なお、実施の形態１と同様に動作する部分については説明を省略し、主に本実施の形態の特徴的な部分について説明する。
【００５５】
センサＡ１０１〜センサＥ１０５は、それぞれ設置されたコンセントＡ９１１〜コンセントＥ９１５に接続された機器の消費電力を測定し、機器が所定時間においてどのように電力を消費したかを示す消費電力パターンを検出する。例えば、所定時間として５分間の消費電力を測定し、時間経過に対する消費電力の変化を消費電力パターンとして検出する。そして検出が完了すると、その検出結果を、検出したセンサを示すセンサ情報とともに機器検出装置４０に送信する。
【００５６】
機器検出装置４０は、センサ検出情報受付部４１が受け付けた消費電力パターンに基づいて、機器種別及び機器状況を判断するとともに、間取り情報データベース３０を参照して、センサ検出情報受付部４１が受け付けたセンサ情報に対応するセンサが設置されている間取り情報を取得し、その間取り情報を機器設置位置として判断する。
【００５７】
図１３は、本実施の形態における間取り情報データベース３０の一例を示す説明図である。
図１３に示した間取り情報データベース３０は、複数のセンサのセンサ情報（例えば、センサＡ、センサＢ等）が格納され、それぞれのセンサが設置されているコンセントが配置（配線）されている配線位置として、部屋Ａ（１）、部屋Ａ（２）、部屋Ｂ（１）等のコンセントの名称を示す間取り情報が格納されている。
【００５８】
照合部４２は、センサ検出情報受付部４１が受け付けたセンサ情報と、間取り情報データベース３０に格納されているセンサ情報とを照合し、一致するセンサ情報を抽出する。そして、抽出されたセンサ情報に対応する間取り情報を抽出し、その間取り情報を機器設置位置として判断する。
【００５９】
表示コントローラ７０の機器情報受付部７１は、機器検出装置４０の照合部４２から送信された機器種別、機器状況、及び、機器設置位置を受け付け、表示制御部７２は、間取り画像情報データベース６０を参照して、間取り画像を表示するための画像データ（間取り画像情報）を取得し、機器情報受付部７１が受け付けた間取り情報に対応する間取り画像における位置に、機器画像情報に対応する機器画像が配置された表示画像を生成し、表示装置８０に送信する。
【００６０】
図１４は、本実施の形態における間取り画像情報データベース６０の一例を示す説明図である。
図１４に示した画像情報データベース６０には、間取り画像を表示するための画像データ（間取り画像情報）として、各部屋の配置を含む間取り図の画像データが格納されている。また、間取り図（間取り画像）上に機器設置位置として間取り情報（例えば、部屋Ａ（１）、部屋Ａ（２）、部屋Ｂ（１）等のコンセント等）が配されたことにより、機器が設置された建物の間取り画像における位置と、機器設置位置とが対応付けられて格納されている。
【００６１】
コンセントに機器が接続され、その機器の消費電力パターンをセンサが検知した場合は、表示制御部７２は、画像データ（間取り画像情報）に基づく間取り図（間取り画像）上の間取り情報（機器設置位置）に対応する位置に、機器画像情報に対応する機器画像を配置した表示画像を生成し、表示装置８０が生成された表示画像を表示する。
【００６２】
以上のように、本実施の形態によれば、センサＡ１０１〜センサＥ１０５が、コンセントに対応して設置されることにより、よりきめ細かに機器設置位置を検知できるため、ユーザーに対して詳細な機器設置位置を提供することができる。
【００６３】
なお、本実施の形態の表示コントローラ７０が、クラウドサーバーを経由して、遠隔地のユーザーに機器の機器種別、機器設置位置、動作状況等の利用状況を表示することも可能である。
図１５は、遠隔地のユーザーに利用状況を表示する場合のコントローラの構成の一例を示す概念図である。
図１５において、人感センサにより作動するセンサライトを、コンセントＡ９１１〜コンセントＥ９１５のいずれかに接続し、機器検出装置４０で判断された機器状況をトリガーにして、表示コントローラ７０で生成された表示画像にセンサライトが使用されている（作動中である）ことを表現する。このように生成された表示画像を、例えば、クラウドサーバーを経由して、遠隔地のユーザーが携帯しているスマートフォン・タブレット、モバイルＰＣ（Personal Computer）等の携帯端末の表示装置８０に表示する。これにより、例えば、遠隔地において自宅への侵入者や帰宅者を監視する侵入者・帰宅者監視システムを簡易に実現することができる。
【００６４】
実施の形態３．
上述の実施の形態１及び実施の形態２では、機器の機器種別及び機器設置位置を随時ユーザーに提示する場合について説明した。本実施の形態では、機器の機器種別及び機器設置位置に関する履歴情報を提示する場合の実施の形態について説明する。
【００６５】
図１６は、この発明の一実施の形態を示す実施の形態３におけるコントローラ１Ｃ及び表示コントローラ７０の構成の一例を示す構成図である。
図１６において、図１と同一又は相当部分に同一符号を付し、説明を省略する。
【００６６】
メモリ１１０は、機器検出装置４０にて判断された機器種別と、機器設置位置とを対応付けて記憶する。本実施の形態では、機器検出装置４０にて判断された機器種別及び機器状況（機器情報）と、間取り情報（機器設置位置）とを対応付けて、記憶した日付、時間等の時期を示す記憶時期とともに記憶する。なお、メモリ１１０は、例えば、例えばＲＯＭ（Read Only Memory）、磁気ディスク（ハードディスクやリムーバブルディスク等）、不揮発性半導体メモリ等で構成される。
【００６７】
時計１２０は、メモリ１１０に機器種別及び機器状況と、間取り情報（機器設置位置）とを対応付けて記憶された日付、時間等の時期を測定する。
なお、本実施の形態において、表示コントローラ７０は、メモリ１１０を参照して、機器の過去の使用状況が表示されるように表示装置８０を制御する。
【００６８】
本実施の形態に係るコントローラ１Ｃは、実施の形態１に係るコントローラ１Ａと比較して、表示コントローラ７０が、機器検出装置４０から取得した機器種別及び機器状況（機器情報）および間取り情報を蓄積し、ユーザーに機器の使用履歴を活用した情報の提示を実現することを目的として、メモリ１１０および時計１２０を含む点において異なる。
【００６９】
次に、動作について説明する。
なお、実施の形態１と同様に動作する部分については説明を省略し、主に本実施の形態の特徴的な部分について説明する。
表示コントローラ７０の表示制御部７２は、機器画像情報データベース５０及び間取り画像情報データベース６０を参照するとともにメモリ１１０を参照し、間取り情報に対応する間取り画像における位置に、機器画像情報に対応する機器画像が配置された表示画像に、記憶時期に基づく機器の過去の使用状況が表示された表示画像を生成し、表示装置８０に送信する。
【００７０】
図１７は、表示装置８０で表示される表示画像の一例を示す説明図である。
図１７の表示画像では、例えば、機器状況として使用していることを示す機器画像は、円で囲まれた画像となっており、過去に使用していたことを示す機器画像は円で囲まれていない画像となっている。また、過去に使用していた機器使用位置から現在使用している機器使用位置へ向けて矢印を表示している。このようにすることにより、使用履歴に応じた機器の使用状況が容易に視認可能となる。また、機器の設置位置の変遷が表示されることにより、機器の設置位置に関する時間経過に応じた使用状況が容易に視認可能となる。
【００７１】
また、表示コントローラ７０が、メモリ１１０に記憶された情報に基づいて、一つの間取り又はコンセント等の機器設置位置に消費電力量の多い機器が集中していることを判断するように構成し、その判断結果に基づいて、ユーザーに注意を促す表示をするように表示装置８０を制御するように構成してもよい。このようにすることにより、ユーザーに対して機器の使用状況の見直しを促すことが可能となる。
【００７２】
図１８は、表示装置８０で表示される表示画像の一例を示す説明図である。
図１８の表示画面では、「使いすぎ注意！」という文字を表示するとともに、電力を消費している機器が集中している部屋を強調表示している。
【００７３】
以上のように、本実施の形態によれば、機器検出装置４０にて判断された機器種別と、機器設置位置とを対応付けて記憶し、記憶された過去の機器種別と、機器設置位置とを用いて、機器の過去の使用状況が表示されるように表示装置８０を制御することにより、使用履歴に応じた機器の種別及び設置位置が容易に認識可能となる。
【００７４】
なお、本実施の形態において、時計１２０を備える場合について説明したが、例えば、メモリ１１０において、情報の記憶順序を特定できる場合は、時計１２０を削除してもよい。
【００７５】
実施の形態４．
上述の実施の形態３では、メモリ１１０を備え、機器の機器種別及び機器設置位置に関する履歴情報を提示する場合について説明した。本実施の形態では、ユーザーの所望する履歴情報を提示する場合の実施の形態について説明する。
【００７６】
図１９は、この発明の一実施の形態を示す実施の形態４におけるコントローラ１Ｄ及び表示コントローラ７０の構成の一例を示す構成図である。
図１９において、図１と同一又は相当部分に同一符号を付し、説明を省略する。
【００７７】
入力装置１３０は、メモリ１１０に記憶された情報の表示に対するユーザーの要望を受け付ける。
なお、表示コントローラ７０は、入力装置１３０で受け付けられたユーザーの要望に応じて、メモリ１１０から情報を抽出し、表示装置８０を制御する。
【００７８】
本実施の形態に係るコントローラ１Ｄは、実施の形態３に係るコントローラ１Ａと比較して、入力装置１３０を備えることによって、入力装置１３０で受け付けられたユーザーの要望に応じた情報の提示を行う点において異なる。
【００７９】
次に、動作について説明する。
なお、実施の形態１と同様に動作する部分については説明を省略し、主に本実施の形態の特徴的な部分について説明する。
【００８０】
入力装置１３０は、表示画面に表示される情報に関するユーザーの要望を受け付ける。表示コントローラ７０は、入力装置１３０で受け付けられたユーザーの要望に応じて、メモリ１１０から情報を抽出し、表示装置を制御する。
【００８１】
図２０は、表示装置８０で表示される表示画像の一例を示す説明図である。
図２０に示すように、ユーザーが、入力装置１３０を操作し、ある機器を選択することにより、その機器の詳細な履歴情報が表示される。
【００８２】
その他、例えば、機器の使用を開始した日時、現在までの累計消費電力量、現在の設置場所等の詳細な情報、あるいはそれら情報を組み合わせることにより実現する表現で表示することができる。
【００８３】
図２１は、表示装置８０で表示される表示画像の一例を示す説明図である。
図２１に示すように、ユーザーがある日時、時刻、時間帯といった情報を選択することにより、任意の時間内での機器使用履歴を表示することが可能となり、過去の時間や期間ごとに使用した機器の傾向や、過去に頻繁に電気機器を利用した部屋の傾向を確認することができる。
【００８４】
以上のように、本実施の形態によれば、表示画面に表示される情報に関するユーザーの要望を受け付ける入力装置１３０を備え、入力装置１３０で受け付けられたユーザーの要望に応じて、メモリ１１０から情報を抽出し、表示装置を制御することにより、ユーザーの所望する履歴情報を提示することができる。例えば、機器種別、間取り（機器設置位置）、時間帯、時点、消費電力量、消費電力量の累計等を基準に履歴表示を切り替えることが可能となる。
【００８５】
以上、本発明の実施の形態について説明したが、これらの実施の形態のうち、２つ以上を組み合わせて実施しても構わない。あるいは、これらの実施の形態のうち、１つを部分的に実施しても構わない。あるいは、これらの実施の形態のうち、２つ以上を部分的に組み合わせて実施しても構わない。なお、本発明は、これらの実施の形態に限定されるものではなく、必要に応じて種々の変更が可能である。
【００８６】
例えば、機器情報データベース２０、間取り情報データベース３０、機器画像情報データベース５０、間取り画像情報データベース６０、メモリ１１０、時計１２０等をクラウドサーバー上に用意し、表示コントローラ７０がインターネット等を経由して情報を読み込む場合でも、本発明の効果を享受することが可能である。
【００８７】
また、間取り画像情報データベース６０に格納される画像データ（間取り画像情報）に、住宅の立面図や斜視図といった画像を格納すれば、実施の形態として示した面図によらない間取り表示に対応可能なことは言うまでもない。
【符号の説明】
【００８８】
１Ａ〜１Ｄ  コントローラ、１０１〜１０５  センサＡ〜センサＥ、２０  機器情報データベース、３０  間取り情報データベース、４０  機器検出装置、４１  センサ検出情報受付部、４２  照合部、５０  機器画像情報データベース、６０  間取り画像情報データベース、７０  表示コントローラ、７１  機器情報受付部、７２  表示制御部、８０  表示装置、９０１〜９０５  機器Ａ〜機器Ｅ、９１１〜９１５  コンセントＡ〜コンセントＥ、９２１〜９２５  プラグＡ〜プラグＥ、１００  分電盤、１１０  メモリ、１２０  時計、１３０  入力装置。
【図１】
2015226451.tif 000003
【図２】
2015226451.tif 000004
【図３】
2015226451.tif 000005
【図４】
2015226451.tif 000006
【図５】
2015226451.tif 000007
【図６】
2015226451.tif 000008
【図７】
2015226451.tif 000009
【図８】
2015226451.tif 000010
【図９】
2015226451.tif 000011
【図１０】
2015226451.tif 000012
【図１１】
2015226451.tif 000013
【図１２】
2015226451.tif 000014
【図１３】
2015226451.tif 000015
【図１４】
2015226451.tif 000016
【図１５】
2015226451.tif 000017
【図１６】
2015226451.tif 000018
【図１７】
2015226451.tif 000019
【図１８】
2015226451.tif 000020
【図１９】
2015226451.tif 000021
【図２０】
2015226451.tif 000022
【図２１】
2015226451.tif 000023